(57)【要約】 【課題】  複数の床パネルの高さレベルを簡単にしかも高精度に調整することができ、床下環境も良好に維持することができる二重床構造を提供する。【解決手段】  この二重床構造は、土間コンクリート（１０）に設けた高さ調整可能な一般部用支持脚（２）と、外周基礎立ち上がり部（１１）に設けた高さ調整可能な第１の立ち上がり部用支持脚（３）と、間仕切り基礎立ち上がり部（１２）に設けた高さ調整可能な第２の立ち上がり部用支持脚（４）とによって、複数の床パネル（５Ａ）〜（５Ｅ）を所定の高さ位置に支持した状態で並設してなる。【選択図】  図１
2007009542.tif 000002
【特許請求の範囲】
【請求項１】
土間コンクリート（１０）に設けた高さ調整可能な一般部用支持脚（２）と、基礎立ち上がり部（１１）（１２）に設けた高さ調整可能な立ち上がり部用支持脚（３）（４）とによって、複数の床パネル（５Ａ）〜（５Ｅ）を所定の高さ位置に支持した状態で並設してなることを特徴とする二重床構造。
【請求項２】
土間コンクリート（１０）に設けた高さ調整可能な一般部用支持脚（２）と、外周基礎立ち上がり部（１１）に設けた高さ調整可能な第１の立ち上がり部用支持脚（３）と、間仕切り基礎立ち上がり部（１２）に設けた高さ調整可能な第２の立ち上がり部用支持脚（４）とによって、複数の床パネル（５Ａ）〜（５Ｅ）を所定の高さ位置に支持した状態で並設してなることを特徴とする二重床構造。
【請求項３】
前記床パネル（５Ａ）〜（５Ｅ）の表面側からの操作によって、前記各支持脚（２）〜（４）の高さ調整を可能とした請求項１又は２記載の二重床構造。
【請求項４】
前記立ち上がり部用支持脚（３）は、基礎立ち上がり部（１１）に固定する基台（３０）を備え、この基台（３０）は、前記基礎立ち上がり部（１１）の天端面（１１ａ）に載置する載置片（３３）と、前記基礎立ち上がり部（１１）の側面（１１ｂ）に当接する当接片（３４）とを有する請求項１乃至３のいずれかに記載の二重床構造。
【請求項５】
前記立ち上がり部用支持脚（３）の載置片（３３）における短手方向の幅（Ｗ）を、前記基礎立ち上がり部（１１）の天端面（１１ａ）の短手方向の幅の半分以下とした請求項４記載の二重床構造。
【請求項６】
基礎立ち上がり部（１１）に設けられて、床パネル（５Ｂ）〜（５Ｅ）を支持する支持脚（３）であって、前記基礎立ち上がり部（１１）に固定する基台（３０）と、この基台（３０）に立設した棒状材（３１）と、この棒状材（３１）によって高さ調整可能に支持されたパネル受け台（３２）とを備えたことを特徴とする支持脚。
【請求項７】
前記パネル受け台（３２）の表面側からの操作によって、前記パネル受け台（３２）の高さ調整を可能とした請求項６記載の支持脚。
【請求項８】
前記基台（３０）は、前記基礎立ち上がり部（１１）の天端面（１１ａ）に載置する載置片（３３）と、前記基礎立ち上がり部（１１）の側面（１１ｂ）に当接する当接片（３４）とを有する請求項６又は７記載の支持脚。
【請求項９】
前記基台（３０）の載置片（３３）における短手方向の幅（Ｗ）を、前記基礎立ち上がり部（１１）の天端面（１１ａ）の短手方向の幅の半分以下とした請求項８記載の支持脚。
【請求項１０】
前記基台（３０）の載置片（３３）を、上方から見て前記パネル受け台（３２）よりも側方へ張り出させて、上方からの前記載置片（３３）へのビス等の固定具（４０）の打ち込みを可能とした請求項８又は９記載の支持脚。
【発明の詳細な説明】
【技術分野】
【０００１】
この発明は、主として戸建て住宅や集合住宅に適用される二重床構造及びこれに用いる支持脚に関する。
【背景技術】
【０００２】
戸建て住宅の一階床は、基本的に、束や大引、根太によって床下地板を支持し、その床下地板上にフローリング等の床仕上げ材を敷設することで構成されている。そして、外周基礎や間仕切り基礎の立ち上がり部において、大引、根太、床下地板等を支持する必要がある場合は、これら床構成部材を立ち上がり部の天端面に直接載置したり、或いは、木製や鋼製の横架部材を介してこれら床構成部材を立ち上がり部の天端面に載置するといった方法が採られていた。
【０００３】
外周基礎や間仕切り基礎は、コンクリート製であるため、現場で硬化前に十分な施工管理をしていても、硬化後には若干の寸法誤差が生じる。従って、上記のように基礎立ち上がり部において床構成部材を支える場合には、若干の高さ調整が必要であり、スペーサ等の挟み物を適宜挟み込むことで対応していた。
【０００４】
一方、近年では、例えば特許文献１にも開示されているように、複数の床下地板を複数の高さ調整可能な支持脚によって所定の高さ位置に支持した二重床が提案されている。このような二重床の場合、支持脚の高さを適宜調整することで、各床下地板の高さレベルを調整することが可能であるが、外周基礎や間仕切り基礎の立ち上がり部において、その立ち上がり部に沿って配置された床下地板の端部を支持する場合には、依然として立ち上がり部の天端面と床下地板の端部との間にスペーサ等を挟み込んで、高さレベルを調整していた。
【特許文献１】特開平１１−６２０８６号公報
【発明の開示】
【発明が解決しようとする課題】
【０００５】
しかしながら、上記のようにスペーサ等を挟み込んで床構成部材の高さレベルの調整を行う場合、その調整作業が煩雑で、しかも高精度な調整が困難である。
【０００６】
また、スペーサとともに横架部材を用いた場合、床下の風通しが悪くなって床下換気を十分に行えず、床下環境の悪化を招くといった不具合がある。さらに、例えば間仕切り基礎を切り欠いた床下連絡口部分に横架部材を配置すると、床下連絡口を通り抜ける際に横架部材が邪魔になるといった不具合もある。
【０００７】
そこで、この発明は、上記の不具合を解消して、複数の床パネルの高さレベルを簡単にしかも高精度に調整することができ、床下環境も良好に維持することができる二重床構造及びこれに用いる床パネルの提供を目的とする。
【課題を解決するための手段】
【０００８】
上記の課題を解決するため、この発明の二重床構造は、土間コンクリート１０に設けた高さ調整可能な一般部用支持脚２と、基礎立ち上がり部１１、１２に設けた高さ調整可能な立ち上がり部用支持脚３、４とによって、複数の床パネル５Ａ〜５Ｅを所定の高さ位置に支持した状態で並設してなることを特徴とする。
【０００９】
具体的には、土間コンクリート１０に設けた高さ調整可能な一般部用支持脚２と、外周基礎立ち上がり部１１に設けた高さ調整可能な第１の立ち上がり部用支持脚３と、間仕切り基礎立ち上がり部１２に設けた高さ調整可能な第２の立ち上がり部用支持脚４とによって、複数の床パネル５Ａ〜５Ｅを所定の高さ位置に支持した状態で並設してなることを特徴とする。
【００１０】
また、前記床パネル５Ａ〜５Ｅの表面側からの操作によって、前記各支持脚２〜４の高さ調整を可能としている。
【００１１】
さらに、前記立ち上がり部用支持脚３は、基礎立ち上がり部１１に固定する基台３０を備え、この基台３０は、前記基礎立ち上がり部１１の天端面１１ａに載置する載置片３３と、前記基礎立ち上がり部１１の側面１１ｂに当接する当接片３４とを有する。
【００１２】
さらにまた、前記立ち上がり部用支持脚３の載置片３３における短手方向の幅Ｗを、前記基礎立ち上がり部１１の天端面１１ａの短手方向の幅の半分以下としている。
【００１３】
この発明の支持脚は、基礎立ち上がり部１１に設けられて、床パネル５Ｂ〜５Ｅを支持するものであって、前記基礎立ち上がり部１１に固定する基台３０と、この基台３０に立設した棒状材３１と、この棒状材３１によって高さ調整可能に支持されたパネル受け台３２とを備えたことを特徴とする。
【００１４】
また、前記パネル受け台３２の表面側からの操作によって、前記パネル受け台３２の高さ調整を可能としている。
【００１５】
さらに、前記基台３０は、前記基礎立ち上がり部１１の天端面１１ａに載置する載置片３３と、前記基礎立ち上がり部１１の側面１１ｂに当接する当接片３４とを有している。
【００１６】
さらにまた、前記基台３０の載置片３３における短手方向の幅Ｗを、前記基礎立ち上がり部１１の天端面１１ａの短手方向の幅の半分以下としている。
【００１７】
また、前記基台３０の載置片３３を、上方から見て前記パネル受け台３２よりも側方へ張り出させて、上方からの前記載置片３３へのビス等の固定具４０の打ち込みを可能としている。
【発明の効果】
【００１８】
この発明によると、土間コンクリートだけでなく、外周基礎や間仕切り基礎の立ち上がり部にも高さ調整可能な立ち上がり部用支持脚を設けて、複数の床パネルの高さレベルを調整することから、従来のようにスペーサを用いる場合と比べて、複数の床パネルの高さレベルを簡単にしかも高精度に調整することができる。しかも、このような支持脚は、外周基礎や間仕切り基礎の立ち上がり部の要所要所に間隔をあけて設ければ済むため、床下の風通しの悪化を招くことがなく、床下環境も良好に維持することができる。
【００１９】
また、各支持脚の高さ調整を、床パネルの表面側からの操作によって可能にしていることから、床パネルの設置後においてもその高さレベルの調整が可能となり、施工性を高めることができる。
【００２０】
さらに、立ち上がり部用支持脚の基台は、載置片と当接片を備えており、この基台の載置片を基礎立ち上がり部の天端面に載置するとともに、当接片を基礎立ち上がり部の側面に当接させることで、立ち上がり部用支持脚を基礎立ち上がり部に対して簡単にしかも精度良く位置決めした状態で固定することができ、施工性をさらに高めることができる。
【００２１】
さらにまた、立ち上がり部用支持脚の基台において、その載置片の大きさや形状を工夫することで、基礎立ち上がり部に設けられる外装材との干渉を防止したり、上方からの載置片への固定具の打ち込みを可能としているから、施工性をより一層高めることができる。
【発明を実施するための最良の形態】
【００２２】
以下、この発明の実施形態を図面に基づいて詳細に説明する。この発明の一実施形態に係る二重床構造は、図１及び図２に示すように、戸建て住宅の一階床として適用されている。この二重床構造は、住宅一階の床施工空間１に設置した例えば３種類の支持脚２〜４によって、複数の床パネル５Ａ〜５Ｅを所定の高さ位置に支持した状態で並設させてなり、これら床パネル５Ａ〜５Ｅ上には、床仕上げ材６・・を敷き詰めるようになっている。
【００２３】
床施工空間１は、土間コンクリート１０を外周基礎の立ち上がり部１１によって囲むことによって構成されており、その床施工空間１の要所要所に外周基礎の立ち上がり部１１よりも高さの低い間仕切り基礎の立ち上がり部１２が設けられている。なお、図１において、１３は外装材、１４は内装材である。
【００２４】
支持脚２〜４としては、土間コンクリート１０に設ける高さ調整可能な一般部用支持脚２と、外周基礎立ち上がり部１１に設ける高さ調整可能な第１の立ち上がり部用支持脚３と、間仕切り基礎立ち上がり部１２に設ける高さ調整可能な第２の立ち上がり部用支持脚４とが用意されている。
【００２５】
一般部用支持脚２は、図３及び図４に示すように、土間コンクリート１０上に固定される例えば金属板からなる基台２０と、この基台２０に立設した棒状体２１と、この棒状体２１によって高さ調整可能に支持された例えば金属板からなるパネル受け台２２とから構成されている。
【００２６】
棒状体２１は、ターンバックル部２３と、このターンバックル部２３の上端部に螺合された上側ボルト部２４と、ターンバックル部２３の下端部に螺合された下側ボルト部２５とを備え、パネル受け台２２の略中央部に上側ボルト部２４の上端部が空回り可能に取り付けられ、基台２０の略中央部に下側ボルト部２５の下端部が固定されている。
【００２７】
上側ボルト部２４と下側ボルト部２５には、互いに逆向きの螺子が形成されている。また、これら上側ボルト部２４及び下側ボルト部２５には、ターンバックル部２３との螺合部分におけるぐらつきや音なりを防止するナット２６、２６が螺合されている。さらに、上側ボルト部２４の上端には、六角棒スパナ等を係合する係合孔２７が形成され、この係合孔２７がパネル受け台２２の中央部において露出している。
【００２８】
第１の立ち上がり部用支持脚３は、図５及び図６に示すように、外周基礎立ち上がり部１１上に固定される基台３０と、この基台３０に立設した棒状体３１と、この棒状体３１によって高さ調整可能に支持されたパネル受け台３２とから構成されている。
【００２９】
基台３０は、例えば金属板をＬ形に折曲することによって形成されており、外周基礎立ち上がり部１１の天端面１１ａに載置する方形状の載置片３３と、外周基礎立ち上がり部１１の側面１１ｂに当接する方形状の当接片３４とを備えている。
【００３０】
パネル受け台３２は、例えば方形状の金属板からなり、その略中央部には螺子孔３８が形成されている。
【００３１】
棒状体３１は、基台３０の載置片３３の略中央部に固定された高ナット３５と、ボルト部３６とを備えている。このボルト部３６には、互いに逆向きの螺子が上下に形成されており、これら螺子の境界部分において、スパナ等の工具を係合してボルト部３６を回転操作するための操作部３７が設けられている。そして、このボルト部３６の上端部がパネル受け台３２の螺子孔３８に螺合され、ボルト部３６の下端部が高ナット３５に螺合されている。さらに、ボルト部３６の上端には、六角棒スパナ等を係合する係合孔３９が形成され、この係合孔３９がパネル受け台３２の略中央部において露出している。
【００３２】
そして、上記の第１の立ち上がり部用支持脚３は、その基台３０の裏面に接着剤を塗布して、この基台３０を外周基礎立ち上がり部１１の天端面１１ａと側面１１ｂとの間のコーナー部分に合わせて接着するか、若しくは、図６に示すように基台３０の載置片３３から天端面１１ａへビスやコンクリートピン等の固定具４０、４０を打ち込むことによって、外周基礎立ち上がり部１１に固定される。
【００３３】
このとき、図７に示すように、基台３０の載置片３３が、上方から見てパネル受け台３２よりも側方へ所定の長さ分Ｓだけ張り出しているので、上方からの打ち込み機４１による固定具４０、４０の打ち込みに際して、パネル受け台３２が邪魔になることはない。また、基台３０の載置片３３における短手方向の幅Ｗが、基礎立ち上がり部１１の天端面１１ａの短手方向の幅の半分以下とされているので、外装材１３のフレーム４１に支持脚３が干渉するといった不具合も防止することができる。
【００３４】
第２の立ち上がり部用支持脚４は、図８及び図９に示すように、間仕切り基礎立ち上がり部１２上に固定される例えば金属板からなる基台５０と、この基台５０に立設した棒状体５１と、この棒状体５１によって高さ調整可能に支持された例えば金属板からなるパネル受け台５２とから構成されている。
【００３５】
棒状体５１は、高ナット５３と、この高ナット５３の上端部に螺合された上側ボルト部５４と、高ナット５３の下端部に螺合された下側ボルト部５５とを備え、パネル受け台５２の略中央部に上側ボルト部５４の上端部が空回り可能に取り付けられ、基台５０の略中央部に下側ボルト部５５の下端部が固定されている。
【００３６】
上側ボルト部５４と下側ボルト部５５には、互いに逆向きの螺子が形成されている。また、これら上側ボルト部５４及び下側ボルト部５５には、高ナット５３との螺合部分におけるぐらつきや音なりを防止するナット５６、５６が螺合されている。さらに、上側ボルト部５４の上端には、六角棒スパナ等を係合する係合孔５７が形成され、この係合孔５７がパネル受け台５２の中央部において露出している。
【００３７】
上記の第２の立ち上がり部用支持脚４は、外周基礎立ち上がり部１１よりも高さの低い間仕切り基礎立ち上がり部１２に固定されるので、その分だけ第１の立ち上がり部用支持脚３よりも全高が高くなっている。従って、この第２の立ち上がり部用支持脚４においては、基台５０とパネル受け台５２との間隔が長く、パネル受け台５２よりも基台５０を張り出さなくても、図９に示すように基台５０から天端面１２ａへビスやコンクリートピン等の固定具５８、５８を打ち込むことができ、これによって間仕切り基礎立ち上がり部１２に固定される。
【００３８】
なお、各支持脚２〜４としては、上記構造のものに限定されるものではなく、少なくとも基台に立設した棒状体によってパネル受け台を高さ調整可能に支持する構造のものであれば良い。また、第２の立ち上がり部用支持脚４においても、第１の立ち上がり部用支持脚３と同様に、載置片と当接片を備えた基台５０としても良い。
【００３９】
床パネル５Ａ〜５Ｅは、図１０乃至図１９に示すように、床下地板６０と、その床下地板６０の裏面の略全面を覆う断熱材６１Ａ〜６１Ｅと、床下地板６０と断熱材６１Ａ〜６１Ｅとの間から側方へ張り出して、隣接する床パネル５Ａ〜５Ｅに連結固定する連結板材６２・・とを一体に組み付けてなるもので、断熱材６１Ａ〜６１Ｅの形状が異なる例えば５つのタイプが用意されている。
【００４０】
第１のタイプの床パネル５Ａは、図２に示すように、床外周部を除く一般部に対応して施工されるものである。この床パネル５Ａの床下地板６０は、図１０及び図１１に示すように、例えば略長方形状の構造用合板からなり、長手方向の長さが約１０００ｍｍ、短手方向の長さが約５００ｍｍに設定されている。
【００４１】
この床下地板６０においては、その四隅付近と長辺側端部の中央付近が、一般部用支持脚２・・によって支持されるようになっている。そして、一般部用支持脚２・・のパネル受け台２２の中央部を露出させるように、床下地板６０における角部が斜めに切り落としされ、長辺側端部の中央部分が略Ｖ字状に切り欠かれている。
【００４２】
この床下材材６０の一方の短辺側端部の裏面には、切り落とし部６３、６３を回避するようにして、例えば略長方形状の構造用合板からなる連結板材６２がビス６４・・によって固定され、一方の長辺側端部の裏面には、切り落とし部６３、６３及びＶ字状切欠部６５を回避するようにして、一対の例えば略長方形状の構造用合板からなる連結板材６２、６２がビス６４・・によって固定されている。これら連結板材６２・・は、図１１に示すように、その略半分が床下地板６０から側方へ張り出した状態となっている。
【００４３】
断熱材６１Ａは、例えば略直方体状の発泡ポリスチレンからなる。そして、断熱材６１Ａにおける周端部のうち、四隅付近の上面側及び両方の長辺側端部の中央付近の上面側が一定の幅で浅く切り欠かれて、残りの部分の上面側が同じく一定の幅で深く切り欠かれている。
【００４４】
四隅付近の浅く切り欠いた部分は、一般部用支持脚２のパネル受け台２２の約４分の１を差し込むための差し込み用凹所６６とされ、両方の長辺側端部の中央付近の浅く切り欠いた部分は、一般部用支持脚２のパネル受け台２２の約半分を差し込むための差し込み用凹所６７とされている。そして、これら差し込み用凹所６６、６７・・に連続するようにして、断熱材６１Ａの端面に、一般部用支持脚２の棒状材２１の上側ボルト部２４を挿通させる挿通用切欠６８・・が上側ボルト部２４の形状に応じて形成されている。
【００４５】
また、断熱材６１Ａの一方の長辺側端部及び一方の短辺側端部における深く切り欠いた部分は、床下地板６０に固定した連結板材６２・・の約半分が収容される収容用凹所７０とされ、他方の長辺側端部及び他方の短辺側端部における深く切り欠いた部分は、隣接する床パネル５Ａ〜５Ｅの連結板材６２・・を嵌め込む嵌合用凹所７１とされている。なお、連結板材６２・・を収容若しくは嵌合する収容用凹所７０や嵌合用凹所７１と、パネル受け台２２・・を差し込む差し込み用凹所６６、６７の深さを異ならせているのは、連結板材６２の肉厚がパネル受け台２２の肉厚よりも厚く、その分だけ収容用凹所７０や嵌合用凹所７１を深くして、これら連結板材６２・・の上面とパネル受け台２２の上面とを同一平面上に揃えるようにしているからである。
【００４６】
第２のタイプの床パネル５Ｂは、図２に示すように、床外周部のコーナー部分に対応して施工されるものである。この床パネル５Ｂの床下地板６０は、図１２及び図１３に示すように、第１のタイプのものと同じものが用いられていて、同様に連結板材６２・・がビス６４・・止めされている。
【００４７】
断熱材６１Ｂは、例えば略直方体状の発泡ポリスチレンからなる。そして、断熱材６１Ｂにおける周端部のうち、一方の長辺側端部の中央付近の上面側及び一方の長辺側端部と一方の短辺側端部との間の隅部付近の上面側に、上記と同様の差し込み用凹所６６、６７が形成され、これらに連続するようにして挿通用切欠６８、６８が形成されている。また、一方の長辺側端部の上面側及び一方の短辺側端部の上面側には、上記と同様の収容用凹所７０・・が形成されている。
【００４８】
さらに、断熱材６１Ｂにおける一方の長辺側端部と他方の短辺側端部との間の隅部の上面側、及び、他方の長辺側端部と一方の短辺側端部との間の隅部の上面側は、一定の幅で浅く切り欠かれて、第１の立ち上がり部用支持脚３のパネル受け台３２の約半分を差し込むための差し込み用凹所７２、７２が形成されている。
【００４９】
さらにまた、断熱材６１Ｂにおける他方の長辺側端部の上面側には、差し込み用凹所７２の約２倍の幅で浅く切り欠くことによって、第１の立ち上がり部用支持脚３のパネル受け台３２の全体を差し込むための差し込み用凹所７３、７３が形成されている。この差し込み用凹所７３は、２つの差し込み用凹所７２、７２を合わせた形状となっている。
【００５０】
そして、差し込み用凹所７２、７３に連続するようにして、断熱材６１Ｂの端面に、第１の立ち上がり部用支持脚３の棒状材３１を挿通させる挿通用切欠７４、７５が段差状に形成されている。差し込み用凹所７３側の挿通用切欠７５は、２つの差し込み用凹所７２、７２の挿通用切欠７４、７４を合わせた形状となっている。
【００５１】
また、断熱材６１Ｂの他方の長辺側端部の下面側及び他方の短辺側端部の下面側には、外周基礎立ち上がり部１１を回避するための回避用切欠７６が夫々形成されている。
【００５２】
第３のタイプの床パネル５Ｃは、図２に示すように、第２のタイプの床パネル５Ｂが施工される床外周部のコーナー部分と相対するコーナー部分に対応して施工されるものである。この床パネル５Ｃの床下地板６０は、図１４及び図１５に示すように、第１のタイプのものと同じものが用いられていて、同様に連結板材６２・・がビス６４・・止めされている。
【００５３】
断熱材６１Ｃは、例えば略直方体状の発泡ポリスチレンからなる。そして、断熱材６１Ｃにおける周端部のうち、一方の長辺側端部の中央付近の上面側及び一方の長辺側端部と他方の短辺側端部との間の隅部付近の上面側に、上記と同様の差し込み用凹所６６、６７が形成され、これらに連続するようにして挿通用切欠６８、６８が形成されている。また、一方の長辺側端部の上面側には、上記と同様の収容用凹所７０・・が形成され、他方の短辺側端部の上面側には、嵌合用凹所７１が形成されている。
【００５４】
さらに、断熱材６１Ｃにおける一方の長辺側端部と一方の短辺側端部との間の隅部の上面側、及び、他方の長辺側端部と他方の短辺側端部との間の隅部の上面側には、上記と同様の差し込み用凹所７２、７２が形成されている。さらにまた、断熱材６１Ｃにおける他方の長辺側端部の上面側には、一対の差し込み用凹所７３、７３が形成されている。そして、差し込み用凹所７２、７３に連続するようにして、断熱材６１Ｃの端面に、上記と同様の挿通用切欠７４、７５が段差状に形成されている。
【００５５】
また、断熱材６１Ｃの他方の長辺側端部の下面側及び一方の短辺側端部の下面側には、外周基礎立ち上がり部１１を回避するための回避用切欠７６が夫々形成されている。
【００５６】
第４のタイプの床パネル５Ｄは、図２に示すように、その長辺側端部が床外周部に沿うようにして施工されるものである。この床パネル５Ｄの床下地板６０は、図１６及び図１７に示すように、第１のタイプのものと同じものが用いられていて、同様に連結板材６２・・がビス６４・・止めされている。
【００５７】
断熱材６１Ｄは、例えば略直方体状の発泡ポリスチレンからなる。そして、断熱材６１Ｄにおける周端部のうち、一方の長辺側端部の中央付近の上面側及び一方の長辺側端部と両方の短辺側端部との間の隅部付近の上面側に、上記と同様の差し込み用凹所６６、６７が形成され、これらに連続するようにして挿通用切欠６８・・が形成されている。また、一方の長辺側端部の上面側及び一方の短辺側端部の上面側には、上記と同様の収容用凹所７０・・が形成され、他方の短辺側端部の上面側には、嵌合用凹所７１が形成されている。
【００５８】
さらに、断熱材６１Ｄにおける他方の長辺側端部と両方の短辺側端部との間の隅部の上面側には、上記と同様の差し込み用凹所７２、７２が形成されている。さらにまた、断熱材６１Ｄにおける他方の長辺側端部の中央付近の上面側には、差し込み用凹所７３が形成されている。そして、差し込み用凹所７２、７３に連続するようにして、断熱材６１Ｄの端面に、上記と同様の挿通用切欠７４、７５が段差状に形成されている。
【００５９】
また、断熱材６１Ｄの他方の長辺側端部の下面側には、外周基礎立ち上がり部１１を回避するための回避用切欠７６が夫々形成されている。
【００６０】
第５のタイプの床パネル５Ｅは、図２に示すように、その短辺側端部が床外周部に沿うようにして施工されるものである。この床パネル５Ｅの床下地板６０は、図１８及び図１９に示すように、第１のタイプのものと同じものが用いられていて、同様に連結板材６２・・がビス６４・・止めされている。
【００６１】
断熱材６１Ｅは、例えば略直方体状の発泡ポリスチレンからなる。そして、断熱材６１Ｅにおける周端部のうち、両方の長辺側端部の中央付近の上面側及び両方の長辺側端部と一方の短辺側端部との間の隅部付近の上面側に、上記と同様の差し込み用凹所６６、６７が形成され、これらに連続するようにして挿通用切欠６８、６８が形成されている。また、一方の長辺側端部の上面側及び一方の短辺側端部の上面側には、上記と同様の収容用凹所７０・・が形成され、他方の長辺側端部の上面側には、嵌合用凹所７１、７１が形成されている。
【００６２】
さらに、断熱材６１Ｅにおける両方の長辺側端部と他方の短辺側端部との間の隅部の上面側には、上記と同様の差し込み用凹所７２、７２が形成されている。そして、差し込み用凹所７２、７２に連続するようにして、断熱材６１Ｅの端面に、上記と同様の挿通用切欠７４、７４が段差状に形成されている。
【００６３】
また、断熱材６１Ｅの他方の短辺側端部の下面側には、外周基礎立ち上がり部１１を回避するための回避用切欠７６が夫々形成されている。
【００６４】
なお、床パネル５Ａ〜５Ｅとしては、上記構造のものだけに限定させるものではなく、例えば一辺が約５００ｍｍの略正方形状のものを別途用意しておいても良い。また、床下地板６０、断熱材６１Ａ〜６１Ｅ、連結板材６２・・だけでなく、一般部用支持脚２を予め一体に組み付けて床パネルを構成しても良い。
【００６５】
次に、二重床の施工方法について説明する。まず、図２０に示すように、外周基礎立ち上がり部１１に対して、複数の第１の立ち上がり部用支持脚３・・を所定の間隔をあけてビス止め４０・・固定する。このとき、基台３０の載置片３３を基礎立ち上がり部１１の天端面１１ａに載置するとともに、当接片３４を基礎立ち上がり部１１の側面１１ｂに当接させることで、第１の立ち上がり部用支持脚３を外周基礎立ち上がり部１１に対して簡単にしかも精度良く位置決めした状態で固定することができる。
【００６６】
続いて、図２１に示すように、第２のタイプの床パネル５Ｂを床外周部すなわ外周基礎立ち上がり部１１のコーナー部分に取り付ける。この場合、第２のタイプの床パネル５Ｂを水平移動させながら、その差し込み用凹所７２、７３・・へ第１の立ち上がり部用支持脚３・・のパネル受け台３２・・を差し込むとともに、この第２のタイプの床パネル５Ｂの差し込み用凹所６６、６７へ一般部用支持脚２、２のパネル受け台２２、２２を差し込んで、一般部用支持脚２、２を位置決めする。このとき、パネル受け台２２、３２の上面と連結板材６２・・の上面は、同一平面上に配置されている。
【００６７】
この状態で、一般部用支持脚２、２の基台２０、２０を土間コンクリート１０にビス止めするとともに、第１の立ち上がり部用支持脚３・・のパネル受け台３２・・及び一般部用支持脚２、２のパネル受け台２２、２２に床パネル５Ｂの床下地板６０をビス８０・・止めする。
【００６８】
次に、図２２に示すように、第４のタイプの床パネル５Ｄを、その他方の長辺側端部が外周基礎立ち上がり部１１に沿うようにして水平移動させながら、その差し込み用凹所７２、７２、７３へ第１の立ち上がり部用支持脚３・・のパネル受け台３２・・を差し込むとともに、差し込み用凹所６６へ既に設置してある一般部用支持脚２のパネル受け台２２を差し込み、さらに嵌合用空間７１へ既に設置してある第２のタイプの床パネル５Ｂの連結板材６２の張り出し部を嵌め込む。そして、この第４のタイプの床パネル５Ｄの差し込み用凹所６６、６７へ一般部用支持脚２、２のパネル受け台２２、２２を差し込んで、一般部用支持脚２、２を位置決めし、その基台２０、２０を土間コンクリート１０、１０にビス止めする。その後、第１の立ち上がり部用支持脚３・・のパネル受け台３２・・及び一般部用支持脚２・・のパネル受け台２２・・に床パネル５Ｄの床下地板６０をビス８０・・止めするとともに、第２のタイプの床パネル５Ｂの連結板材６２を、第４のタイプの床パネル５Ｄの床下地板６０にビス８１・・止めする。
【００６９】
このようにして、外周基礎立ち上がり部１１に沿って第４のタイプの床パネル５Ｄ・・を順次設置して、外周基礎立ち上がり部１１のコーナー部分には、第３のタイプの床パネル５Ｃを設置して、外周基礎立ち上がり部１１に沿って床パネル５Ｂ、５Ｄ、５Ｃを一列(図２に細点で示す部分)に並設する。そして、その一列分の床パネル５Ｂ、５Ｄ、５Ｃのレベル出しを行う。
【００７０】
このレベル出しは、各床パネル５Ｂ、５Ｄ、５Ｃにおける床下地板６０・・の切り落とし部６３、６３やＶ字状切欠部６５を介して露出した支持脚３の係合孔３９へ六角棒スパナ等を係合して、ボルト部３６を回転操作するとともに、各床パネル５Ｂ、５Ｄ、５Ｃにおける床下地板６０・・の切り落とし部６３、６３やＶ字状切欠部６５を介して露出した支持脚２の係合孔２７へ六角棒スパナ等を係合して、上側ボルト部２４を回転操作することで、支持脚２、３・・のパネル受け台２２、３２・・を昇降させて高さ調整し、各床パネル５Ｂ、５Ｄ、５Ｃの床下地板６０・・を同一平面上に水平状態に維持することによってなされる。すなわち、この支持脚２、３・・の高さ調整によるレベル出し作業は、床パネル５Ｂ、５Ｄ、５Ｃの表面側からの操作によって簡単に行うことができ、しかも外周基礎立ち上がり部１１上にスペーサを設けて高さ調整を行う場合と比べて、より高精度な調整を行うことができる。
【００７１】
このレベル出しを終えると、２列目の床パネル５Ａ、５Ｅ・・を施工する。まず、図２３に示すように、第５のタイプの床パネル５Ｅを水平移動させながら、その差し込み用凹所７４、７４へ第１の立ち上がり部用支持脚３・・のパネル受け台３２・・を差し込むとともに、差し込み用凹所６６、６７へ既に設置してある一般部用支持脚２、２のパネル受け台２２、２２を差し込み、さらに嵌合用凹所７１、７１へ既に設置してある第２のタイプの床パネル５Ｂの連結板材６２、６２の張り出し部を嵌め込む。そして、この第５のタイプの床パネル５Ｅの差し込み用凹所６６、６７へ一般部用支持脚２、２のパネル受け台２２、２２を差し込んで、一般部用支持脚２、２を位置決めし、その基台２０、２０を土間コンクリート１０にビス止めする。その後、第１の立ち上がり部用支持脚３・・のパネル受け台３２・・及び一般部用支持脚２、２のパネル受け台２２・・に床パネル５Ｅの床下地板６０をビス８０・・止めするとともに、第２のタイプの床パネル５Ｂの連結板材６２、６２を、第５のタイプの床パネル５Ｅの床下地板６０にビス８１・・止めする。
【００７２】
続いて、第１のタイプの床パネル５Ａを水平移動させながら、その差し込み用凹所６６、６７へ既に設置してある一般部用支持脚２・・のパネル受け台２２・・を差し込み、さらに嵌合用凹所７１・・へ既に設置してある床パネル５Ｂ、５Ｅの連結板材６２・・の張り出し部を嵌め込む。そして、図２４に示すように、この第１のタイプの床パネル５Ａの差し込み用凹所６６、６７へ一般部用支持脚２、２のパネル受け台２２、２２を差し込んで、一般部用支持脚２、２を位置決めし、その基台２０、２０を土間コンクリート１０にビス止めする。その後、一般部用支持脚２・・のパネル受け台２２・・に床パネル５Ａの床下地板６０をビス８０・・止めするとともに、床パネル５Ｂ、５Ｅの連結板材６２・・を、床パネル５Ａの床下地板６０にビス８１・・止めする。
【００７３】
このようにして２列目の床パネル５Ａ、５Ｅ・・の施工を終えると、上記のようにレベル出し作業を行い、続いて３列目以降を順次行って、隣接する床パネル５Ａ〜５Ｅ同士を連結板材６２・・を介して連結させながら二重床を完成させる。なお、間仕切り基礎立ち上がり部１２に沿って床パネル５Ａ、５Ｅ・・を設置する場合にも、一般部用支持脚２・・の代わりに、第２の立ち上がり部用支持脚４・・を用いるだけで、その他の施工方法は２列目と同様である。
【００７４】
このうようにして施工された二重床においては、図１に示すように、隣接する床パネル５Ａ〜５Ｅの断熱材６１Ａ〜６１Ｅの端面同士が、一般部用支持脚２や第２の立ち上がり部用支持脚４の棒状体２１、５１を挿通する挿通用切欠６８・・を除いて互いに隙間なく突き合わされた状態となる。すなわち、一般部用支持脚２や第２の立ち上がり部用支持脚４におけるパネル受け台２２、５２及び棒状体２１、５１が、隣接する床パネル５Ａ〜５Ｅの差し込み用凹所６６、６７や挿通用切欠６８・・が合わさって構成される収容部９０にきっちりと収容されて、断熱材６１Ａ〜６１Ｅの端面間に無駄な隙間が生じない状態となっている。
【００７５】
また、外周基礎立ち上がり部１１に沿って配置される床パネル５Ｂ〜５Ｅの断熱材６１Ｂ〜６１Ｅが、第１の立ち上がり部用支持脚３の棒状体３１を挿通する挿通用切欠７４、７５を除いて、パネル受け台３２の下側にも回り込んだ状態となっている。
【００７６】
さらに、図２５に示すように、連結板材６２による床パネル５Ａ〜５Ｅ同士の連結部分においては、連結板材６２が一方の床パネル５Ａ〜５Ｅの収容用凹所７０と他方の床パネル５Ａ〜５Ｅの嵌合用凹所７１とに跨って配され、この連結板材６２の下側には、隣接する床パネル５Ａ〜５Ｅの断熱材６１Ａ〜６１Ｅが回り込んで互いに隙間なく突き合わされた状態となっている。
【００７７】
これにより、床下空間と室内空間が、床パネル５Ａ〜５Ｅの断熱材６１Ａ〜６１Ｅによって確実に遮断されて、断熱性を良好に維持することができる。
【００７８】
この発明は、上記実施形態に限定されるものではなく、この発明の範囲内で上記実施形態に多くの修正及び変更を加え得ることは勿論である。
【図面の簡単な説明】
【００７９】
【図１】この発明の一実施形態に係る二重床構造の縦断面図である。
【図２】二重床構造の平面図である。
【図３】一般部用支持脚の分解斜視図である。
【図４】一般部用支持脚の斜視図である。
【図５】第１の立ち上がり部用支持脚の分解斜視図である。
【図６】第１の立ち上がり部用支持脚の斜視図である。
【図７】第１の立ち上がり部用支持脚の正面図である。
【図８】第２の立ち上がり部用支持脚の分解斜視図である。
【図９】第２の立ち上がり部用支持脚の斜視図である。
【図１０】第１のタイプの床パネルの分解斜視図である。
【図１１】第１のタイプの床パネルの斜視図である。
【図１２】第２のタイプの床パネルの分解斜視図である。
【図１３】第２のタイプの床パネルの斜視図である。
【図１４】第３のタイプの床パネルの分解斜視図である。
【図１５】第３のタイプの床パネルの斜視図である。
【図１６】第４のタイプの床パネルの分解斜視図である。
【図１７】第４のタイプの床パネルの斜視図である。
【図１８】第５のタイプの床パネルの分解斜視図である。
【図１９】第５のタイプの床パネルの斜視図である。
【図２０】第１の立ち上がり部用支持脚の設置状態を示す斜視図である。
【図２１】１列目の床パネルの施工状態を示す斜視図である。
【図２２】１列目の床パネルの施工状態を示す斜視図である。
【図２３】２列目の床パネルの施工状態を示す斜視図である。
【図２４】２列目の床パネルの施工状態を示す斜視図である。
【図２５】床パネル同士の連結部分を示す縦断面図である。
【符号の説明】
【００８０】
２・・一般部用支持脚、３・・第１の立ち上がり部用支持脚、４・・第２の立ち上がり部用支持脚、５Ａ〜５Ｅ・・床パネル、１０・・土間コンクリート、１１・・基礎立ち上がり部、１１ａ・・基礎立ち上がり部の天端面、１１ｂ・・基礎立ち上がり部の側面、１２・・間仕切り基礎立ち上がり部、３０・・基台
３１・・棒状材、３２・・パネル受け台、３３・・載置片、３４・・当接片
４０・・固定具、Ｗ・・載置片における短手方向の幅
【図１】
2007009542.tif 000003
【図２】
2007009542.tif 000004
【図３】
2007009542.tif 000005
【図４】
2007009542.tif 000006
【図５】
2007009542.tif 000007
【図６】
2007009542.tif 000008
【図７】
2007009542.tif 000009
【図８】
2007009542.tif 000010
【図９】
2007009542.tif 000011
【図１０】
2007009542.tif 000012
【図１１】
2007009542.tif 000013
【図１２】
2007009542.tif 000014
【図１３】
2007009542.tif 000015
【図１４】
2007009542.tif 000016
【図１５】
2007009542.tif 000017
【図１６】
2007009542.tif 000018
【図１７】
2007009542.tif 000019
【図１８】
2007009542.tif 000020
【図１９】
2007009542.tif 000021
【図２０】
2007009542.tif 000022
【図２１】
2007009542.tif 000023
【図２２】
2007009542.tif 000024
【図２３】
2007009542.tif 000025
【図２４】
2007009542.tif 000026
【図２５】
2007009542.tif 000027